(57)【要約】【課題】動画データの縮小画面によるサムネール表示機能も実現されているが、動画ファイルをコピーした場合にサムネール指定が継承されないなど、機能として満足のいくものではなかった。【解決手段】動画像信号を圧縮符号化した動画データとして記録媒体に記録すると共に、データ間の時間的同期が可能な参照形式で、記録された動画データを参照した参照動画データを記録する動画像記録装置及びその方法であって、参照動画データに動画データを代表するフレーム画像を指定する時間情報を設定すると（２０２）、その代表フレーム（ポスターフレーム）を読み出してデコードし、その動画像データのサムネール画像を生成する。次に、そのサムネール画像を符号化してファイルに書き込み（２０７）、管理ファイルにより代表フレームとサムネールファイルに記録された対応するサムネール画像のフレームとを対応付ける（２０８）。【選択図】    図２
2005033381.tif 000002
【特許請求の範囲】
【請求項１】
動画像信号を圧縮符号化した動画データとして記録媒体に記録するとともに、データ間の時間的同期が可能な参照形式で、記録した動画データを参照した参照動画データを記録する動画像記録方法であって、
前記参照動画データに、前記動画データを代表するフレーム画像を指定するための指定情報を記録する工程と、
前記記録媒体中の動画像データのサムネール一覧を含むサムネールファイルを記録する工程と、
前記指定情報により指定された前記参照動画データの代表フレームと、前記サムネールファイルに記録された対応するサムネール画像とを対応付ける工程と、を有することを特徴とする動画像記録方法。
【請求項２】
前記サムネールファイルの前記サムネール画像が更新される場合、対応する前記参照動画データの代表フレームの指定情報も併せて更新する工程を更に有することを特徴とする請求項１に記載の動画像記録方法。
【請求項３】
前記サムネールファイル中にサムネール画像を持たない動画データ及びそれを参照する参照動画データが追加された場合、前記参照動画データ中に代表フレームの時間情報がある場合は、対応するフレームのサムネール画像をサムネールファイルに追加し、代表フレームの時間情報が無い場合は、動画データの先頭から所定の時間後のフレームを代表フレームとして参照動画データ中に時間情報を追加するとともに、対応するフレームのサムネール画像を前記サムネールファイルに追加する工程を更に有することを特徴とする請求項１に記載の動画像記録方法。
【請求項４】
前記参照動画データのデータ形式はＱｕｉｃｋＴｉｍｅ（登録商標：以下略）ムービフォーマットであることを特徴とする請求項１乃至３のいずれか１項に記載の動画像記録方法。
【請求項５】
前記参照動画データの前記代表フレームは、前記ＱｕｉｃｋＴｉｍｅムービフォーマットにおけるポスターフレームであることを特徴とする請求項４に記載の動画像記録方法。
【請求項６】
動画像信号を圧縮符号化した動画データとして記録媒体に記録すると共に、データ間の時間的同期が可能な参照形式で、記録された動画データを参照した参照動画データを記録する動画像記録装置であって、
前記参照動画データに動画データを代表するフレーム画像を指定する指定情報を記録するフレーム指定記録手段と、
前記動画像データのサムネール一覧を含むサムネールファイルを記録する手段と、
前記参照動画データの前記時間情報により指定された前記代表フレームと、前記サムネールファイルに記録された対応するサムネール画像のフレームとを対応付ける対応付け手段と、を有することを特徴とする動画像記録装置。
【請求項７】
前記対応付け手段は、前記サムネールファイルの前記動画像データのサムネール画像が更新されると、対応する参照動画データの前記代表フレームの指定情報も併せて更新することを特徴とする請求項６に記載の動画像記録装置。
【請求項８】
前記サムネールファイル中にサムネール画像を持たない動画データ及びそれを参照する参照動画データが追加された場合、前記参照動画データ中に代表フレームの時間情報がある場合は対応するフレームのサムネール画像をサムネールファイルに追加し、代表フレームの時間情報が無い場合は、動画先頭から所定の時間後のフレームを代表フレームとして参照動画データ中に時間情報を追加するとともに、対応するフレームのサムネール画像をサムネールファイルに追加する手段を更に有することを特徴とする請求項６又は７に記載の動画像記録装置。
【請求項９】
前記参照動画データ形式は、ＱｕｉｃｋＴｉｍｅムービフォーマットであることを特徴とする請求項６乃至８のいずれか１項に記載の動画像記録装置。
【請求項１０】
前記参照動画データの前記代表フレームは、ＱｕｉｃｋＴｉｍｅムービフォーマットにおけるポスターフレームであることを特徴とする請求項９に記載の動画像記録装置。
【請求項１１】
動画像信号を圧縮符号化した動画データとして記録媒体に記録するとともに、データ間の時間的同期が可能な参照形式で、記録動画データを参照した参照動画データを記録した動画像記録媒体であって、
参照動画データ中に、該動画データを代表するフレーム画像を指定する時間情報を記録するとともに、記録媒体中の動画像データのサムネール一覧からなるサムネールファイルを記録し、前記参照動画データ中の時間情報による代表フレームと、サムネールファイルに記録された対応するサムネール画像のフレームを一致させたことを特徴とする動画像記録媒体。
【請求項１２】
前記参照動画データ形式は、ＱｕｉｃｋＴｉｍｅムービフォーマットであることを特徴とする請求項１１に記載の動画像記録媒体。
【請求項１３】
前記参照動画データ中の前記代表フレームは、ＱｕｉｃｋＴｉｍｅムービフォーマットにおけるポスターフレームであることを特徴とする請求項１２に記載の動画像記録媒体。
【発明の詳細な説明】
【０００１】
【発明の属する技術分野】
本発明は、動画像記録装置及びその方法に関するものである。
【０００２】
【従来の技術】
近年、ＤＶＤ規格のディスクメディアにＭＰＥＧ２で符号化された動画像を記録再生するディスクビデオカメラ装置が開発されている。ディスクビデオカメラ装置では、画像の記録開始から一時停止までの動画像データは１つのビデオクリップとして、１つのファイルに保存される。このようにしてディスク上に複数のビデオクリップファイルが作成され、再生時はビデオクリップのインデックス画面を表示して選択したり、または連続して再生することによって、記録された動画像を再生することができる（このようなビデオカメラは、例えば特許文献１参照）。
【０００３】
図１４は、従来のディスクビデオカメラ装置の撮影時の信号の流れを説明する図である。
【０００４】
１４０１はカメラ光学系を示し、フォーカス、絞りなどの駆動系をカメラコントローラ１４０５によって制御することにより、適正な焦点距離及び露出で被写体を撮影する。１４０２は撮像素子であり、ＣＣＤやＣＭＯＳなどによるセンサによって入射光を電気信号に変換する。１４０３はカメラ信号処理回路であり、撮像素子１４０２からの電気信号をＡ／Ｄ変換した後、カラービデオ映像信号を生成する。１４０４はビデオ符号化回路で、そのデジタルビデオデータを圧縮符号化する。１４０７はファイル生成回路で、入力されたデジタルビデオデータから動画データファイルを生成する。１４０８は誤り訂正符号化回路で、デジタルデータの誤り訂正を行うためのパリティデータを付加する。１４０９はデータ変調回路であり、デジタルデータを記録媒体に記録するための、例えば（１，７）ＲＬＬ符号やトレリス符号などの変調符号化を行う。磁界変調ドライバ１４１０は、入力信号に応じて磁界ヘッド１４１１を駆動して記録媒体１４１３に磁界を印加する。光ピックアップ１４１２は、入力信号に応じて、記録用のレーザビームを記録媒体１４１３に照射する。ドライブコントローラ１４１６は、システムコントローラ１４１７からの要求に応じてで、ドライブサーボ回路１４１５に信号を出力することにより、光ピックアップ１４１２、モータ１４１４を制御し、ドライブ全体を制御する。
【０００５】
【特許文献１】
特開２００２−３１４９１６号公報
【０００６】
【発明が解決しようとする課題】
このような従来のディスクビデオカメラ装置では、動画データファイルであるビデオクリップの分割や部分削除といったクリップ編集操作は、ＭＰＥＧ２ストリームで記録されたビデオクリップファイル自身の分割や部分削除によって実現されている。このため可逆性がなく、また音声のアフレコ編集などではストリームデータ自身の書き換えが必要なため、処理時間がかかる等の問題があった。また動画データの縮小画面によるサムネール表示機能も実現されているが、動画ファイルをコピーした場合にサムネール指定が継承されないなど、機能として満足のいくものではなかった。
【０００７】
本発明は上記問題点に鑑みてなされたもので、本願発明の特徴は、参照動画データの編集に柔軟性を持たせ、サムネールファイルによる高速なサムネール一覧及び参照動画データのサムネール指定の継承を可能にした動画像記録装置及びその方法を提供することにある。
【０００８】
【課題を解決するための手段】
上記目的を達成するために本発明の動画像記録装置は以下のような構成を備える。即ち、
動画像信号を圧縮符号化した動画データとして記録媒体に記録すると共に、データ間の時間的同期が可能な参照形式で、記録された動画データを参照した参照動画データを記録する動画像記録装置であって、
前記参照動画データに動画データを代表するフレーム画像を指定する指定情報を記録するフレーム指定記録手段と、
前記動画像データのサムネール一覧を含むサムネールファイルを記録する手段と、
前記参照動画データの前記時間情報により指定された前記代表フレームと、前記サムネールファイルに記録された対応するサムネール画像のフレームとを対応つける対応付け手段とを有することを特徴とする。
【０００９】
上記目的を達成するために本発明の動画像記録方法は以下のような工程を備える。即ち、
動画像信号を圧縮符号化した動画データとして記録媒体に記録するとともに、データ間の時間的同期が可能な参照形式で、記録した動画データを参照した参照動画データを記録する動画像記録方法であって、
前記参照動画データに、前記動画データを代表するフレーム画像を指定するための指定情報を記録する工程と、
前記記録媒体中の動画像データのサムネール一覧を含むサムネールファイルを記録する工程と、
前記指定情報により指定された前記参照動画データの代表フレームと、前記サムネールファイルに記録された対応するサムネール画像とを対応付ける工程とを有することを特徴とする。
【００１０】
【発明の実施の形態】
以下、添付図面を参照して本発明の好適な実施の形態を詳しく説明する。尚、実際のビデオカメラ装置は、映像信号と共に音声信号も記録するが、本実施の形態では、映像信号についてのみ説明する。
【００１１】
本実施の形態に係る動画像記録は、動画像信号を圧縮符号化した動画データとして記録媒体に記録するとともに、データ間の時間的同期が可能な参照形式で、記録動画データを参照した参照動画データを記録する動画像記録であって、参照動画データ中に、該動画データを代表するフレーム画像を指定する時間情報を記録するとともに、記録媒体中の動画像データのサムネール一覧からなるサムネールファイルを記録し、参照動画データ中の時間情報による代表フレームと、サムネールファイルに記録された対応するサムネール画像のフレームを一致させることにより、参照動画データによるフレキシブルな編集はもちろんのこと、サムネール専用ファイルによる高速なサムネール一覧及び、参照動画データ中の時間情報によってファイルコピー時のサムネール指定継承を実現できるようにしている。以下詳しく説明する。
【００１２】
図１は本発明の実施の形態に係るディスクビデオカメラ装置の概略構成を示すブロック図である。
【００１３】
図において、１０１はカメラ光学系であり、フォーカス、絞りなどの駆動系をカメラコントローラ１０５によって制御することにより、適正な焦点距離及び露出で被写体を撮影する。１０２は撮像素子であり、ＣＣＤやＣＭＯＳなどによるセンサによって入射光を電気信号に変換する。１０３はカメラ信号処理回路で、撮像素子１０２からの電気信号をＡ／Ｄ変換した後、カラービデオ映像信号を生成する。１０４はビデオ符号化回路であり、カメラ信号処理回路１０３で信号処理されたデジタルビデオデータを、例えばＭＰＥＧ２符号化方法によって圧縮符号化する。１０７はファイル生成回路で、入力されたデジタルビデオデータを含む、例えばＭＰＥＧ２プログラムストリームの動画データファイルを生成する。１０８は誤り訂正符号化回路で、デジタルデータの誤り訂正を行うためのパリティデータを付加する。１０９はデータ変調回路であり、デジタルデータを記録媒体１１３に記録するための、例えば（１，７）ＲＬＬ符号やトレリス符号などの変調符号化を行う。磁界変調ドライバ１１０は、入力信号に応じて磁界ヘッド１１１を駆動して記録媒体１１３に磁界を印加する。光ピックアップ１１２は、入力信号に応じて、記録用のレーザビームを記録媒体１１３に照射する。ドライブコントローラ１１６は、システムコントローラ１１７からの要求で、ドライブサーボ回路１１５に信号を出力することにより、光ピックアップ１１２、モータ１１４を制御し、ドライブ全体を制御する。参照データ生成回路１０６は、システムコントローラ１１７の制御により、記録された動画データファイルを参照する参照形式の動画データを生成し、ファイル生成回路１０７によって参照形式動画ファイルを生成し、動画データファイルと同様に記録媒体に記録する。本発明では、参照形式動画データの生成時に、代表フレームの時間情報を付加情報として設定する。代表フレームの時間情報設定については後述する。尚、本実施の形態に係る参照形式の動画ファイルの例としては、例えばＡｐｐｌｅ社のＱｕｉｃｋＴｉｍｅムービ形式などが知られている。
【００１４】
図５は、ＱｕｉｃｋＴｉｍｅによるデータ参照の概要を説明する図である。
【００１５】
５０１はムービと呼ばれる、ＱｕｉｃｋＴｉｍｅによる参照形式の動画ファイルによって参照される動画を時間によって管理したデータ構造を示している。このムービ５０１には複数個のトラックを持つことができ、各トラックが実際に再生される各々のＡＶデータストリームに対応している。５０２はムービ５０１のあるトラックを示す。各トラックにはメディアと呼ばれる、トラックの内容を記述したデータ構造を時系列に並べることができる。５０３は、このメディアと呼ばれるデータ構造を示しており、実際に記録媒体５０４に記録されているＡＶデータコンテンツへの参照を持っている。尚、ここでムービ５０１、メディア５０３は、それぞれ独立した時間座標系を持つことができる。
【００１６】
本実施の形態に係るビデオカメラ装置では、ムービの記録時に、ＱｕｉｃｋＴｉｍｅのような参照形式でデータコンテンツを管理することによって、例えばムービの部分削除や分割、結合といった編集操作においても、実ビデオデータを変更することなく、参照形式データの更新によって実現することができる。
【００１７】
図２は本実施の形態の特徴である、参照動画データ中の代表フレーム時間設定と、それに対応するサムネール画像を含むサムネールファイルへのデータ書き込み処理を説明するフローチャートである。尚、この処理は前述のシステムコントローラ１１７の制御の下に実行される。
【００１８】
図において、ステップ２０１は、動画データの記録処理を示し、図１及び図５を参照して説明したように、例えばＭＰＥＧ２プログラムストリームからなる動画データファイルを記録すると共に、それを参照するＱｕｉｃｋＴｉｍｅムービファイルを記録媒体１１３に記録する。ステップ２０２はポスタータイム設定で、ＱｕｉｃｋＴｉｍｅムービ中に代表フレームを表すトラック及び時間情報を記録する。このポスタータイム時間は、ムービの先頭から所定の時間経過したフレームを自動設定してもよいし、代表フレーム選択のためのユーザ入力操作を経て任意のフレームを設定してもよい。次にステップ２０３では、ポスターフレームの読み出しを行う。ここでは設定したポスタータイムに対応する動画フレームのデコードに必要なデータを記録媒体１１３から読み出す。
【００１９】
ここでＭＰＥＧ２のようなフレーム間符号化の場合、ＧＯＰと呼ばれる符号化単位で読み出すことが必要である。ステップ２０４はポスターフレームデコードで、ここでは読み出されたフレームデータをデコードし、ポスタータイムに対応するフレーム画像を得る。ステップ２０５はサムネール画像生成処理を示し、ステップ２０４でデコードされたポスターフレーム画像に縮小等の処理を行ってサムネール画像を生成する。ステップ２０６はサムネール画像エンコード（符号化）であり、ステップ２０５で得られたサムネール画像を、例えばＪＰＥＧのような静止画符号化方法で圧縮し、その圧縮したサムネールデータを得る。ステップ２０７はサムネールデータの書き込みであり、専用のサムネールファイルに、ステップ２０６で符号化したサムネールデータを追加書き込んでサムネールエントリを追加する。ステップ２０８は管理ファイル更新で、記録した動画データと、サムネールファイルに追加したサムネールエントリとを関連付ける。
【００２０】
図１１は、ＱｕｉｃｋＴｉｍｅのムービに関する情報を記録するデータ構造を示し、「ムービヘッダａｔｏｍ」（１１０１）に記録されるポスタータイムを説明する図である。
【００２１】
図において、１１０２は「ムービヘッダａｔｏｍ」を示す識別子で、アトムサイズ、アトムタイプ等からなるデータブロックである。この「ムービヘッダａｔｏｍ」には、ムービの作成日時などの情報と共に、代表フレームの時間情報であるポスタータイム（１１０３）が記録される。このポスタータイム１１０３は、トラック指定を含んでいる。
【００２２】
図６は、このムービトラックとポスタータイムとの関係を示す図である。
【００２３】
図６において、６０２，６０３はビデオトラックを示し、６０４はオーディオトラックを示している。６０１はポスタータイムで、ポスタータイム６０１のトラックとしてビデオトラック１が指定されている場合は、ポスタータイム６０１で指定されたムービ時間におけるビデオトラック１の再生フレームがポスターフレームとなる。
【００２４】
図７は、専用のポスターグラフィックトラックを設けた場合の一例を示す図である。
【００２５】
ポスタータイム７０１の指定により、ポスターグラフィックトラック７０５が指定されている場合、ビデオトラック１（７０２），２（７０３）の代わりに指定されたポスターグラフィックトラック７０５におけるポスタータイム７０１のフレームがポスターフレームとなる。
【００２６】
図８は、サムネールファイルの概略構成を示す図である。
【００２７】
８０１はヘッダブロックで、サムネールデータエントリのデコードに必要な情報をもつ。８０２〜８０４はそれぞれサムネールデータエントリであり、動画ファイルから、図１１を参照して説明した手順で抽出されたサムネールデータが記録される。前述のように本実施の形態では、このサムネールデータエントリに対応する動画フレームは、ＱｕｉｃｋＴｉｍｅムービに設定されたポスターフレームと一致する。
【００２８】
図９は、動画データファイル、参照動画データファイル、サムネールファイル及びこれらの対応を記述した管理データファイルの関係を示す図である。
【００２９】
「ｍｏｖｉｅ１．ｍｏｖ」（９０３）、「ｍｏｖｉｅ２．ｍｏｖ」（９０４）は、ＱｕｉｃｋＴｉｍｅムービファイルであり、それぞれＭＰＥＧ２のプログラムストリーム動画データ「ｍｏｖｉｅ１．ｍｐｇ」（９０５）、「ｍｏｖｉｅ２．ｍｐｇ」（９０６）を参照している。９０３，９０４はまたポスタータイム情報を持ち、それぞれは動画データ中のフレームを示している。９０２は記録媒体中のＡＶデータのサムネール画像を集めたサムネールファイルであり、「ｍｏｖｉｅ１．ｍｏｖ」、「ｍｏｖｉｅ２．ｍｏｖ」のサムネールとして、抽出されたポスターフレーム画像から生成したサムネールデータをエントリに含んでいる。８０１は管理データファイルで、ＱｕｉｃｋＴｉｍｅムービファイル９０３，９０４とサムネールファイル９０２のサムネールデータエントリとを対応付ける。
【００３０】
図１０は、この管理データファイルによるムービとサムネールとの対応付けの概念を示す図である。
【００３１】
１００１は管理データファイルを示し、ここではヘッダとムービ毎のエントリとを含んでいる。１００２はムービエントリの概略構成を示し、サムネールファイル１００３（９０２）のエントリを示すサムネールＩＤと、対応する動画データ１００４へのポインタを有している。
【００３２】
図３は、図２のステップ２０３以降の処理に対応するサムネール記録処理の概略を説明する図である。尚、図３において、３０７〜３１７は、図１の１０７〜１１７にそれぞれ対応している。
【００３３】
システムコントローラ３１７は、図１で説明した動画データ及び、その参照動画データ記録処理の後、設定したポスタータイムに相当するフレーム画像を読み出すため、ドライブコントローラ３１６に要求を出し、ドライブサーボ回路３１５によって光ピックアップ３１２とモータ３１４を制御することによって、記録媒体３１３から動画データの中のポスターフレームのデコードに必要なデータブロックを読み出す。こうして読み出されたデータは、データ変復調回路３０９によって記録信号から復調され、誤り訂正符号／復号化回路３０８で、記録媒体３１３の欠陥もしくは記録再生時の誤りが訂正される。ファイル復号回路３１８は誤り訂正後のデータ列から、論理的ファイルフォーマットを復号する。そしてビデオ復号化回路３１９によって伸張復号化が行われた後、ポスターフレームが抽出される。
【００３４】
サムネールデータ生成回路３２０は、ポスターフレーム画像の縮小、静止画符号化等を行ってサムネールデータエントリを生成する。ファイル生成回路３０７は、既存のサムネールファイルに新規なサムネールデータエントリを追加する。３０８は誤り訂正符号化／復号回路で、デジタルデータの誤り訂正を行うためのパリティデータを付加する。３０９はデータ変復調回路で、デジタルデータを記録媒体３１３に記録するための、例えば（１，７）ＲＬＬ符号やトレリス符号などの変調符号化を行う。磁界変調ドライバ３１０は、入力信号に応じて磁界ヘッド３１１を駆動して記録媒体３１３に磁界を印加する。光ピックアップ３１２は、入力信号に応じて、記録用のレーザビームを記録媒体３１３に照射する。ドライブコントローラ３１６は、システムコントローラ３１７からの要求で、ドライブサーボ回路３１５に信号を出力することにより、光ピックアップ３１２、モータ３１４を制御し、ドライブ全体を制御する。
【００３５】
図１２は、記録媒体に記録済み動画データのサムネールを変更する場合の処理を示すフローチャートである。
【００３６】
ステップ１２０１はフレーム選択であり、ユーザによる入力操作などにより新規に設定する代表フレームを選択する。ステップ１２０２はポスタータイム設定で、ＱｕｉｃｋＴｉｍｅムービ中に代表フレームを表すトラック及び時間情報を記録する。ステップ１２０３はサムネール画像生成であり、ステップ１２０１で選択された代表フレーム画像に縮小等の処理を行ってサムネール画像を生成する。ステップ１２０４はサムネール画像エンコードで、ステップ１２０３で生成されたサムネール画像をＪＰＥＧのような静止画符号化方法で圧縮し、サムネールデータを得る。ステップ１２０５はサムネールデータ書き込みであり、サムネールファイルの対応するサムネールデータエントリに代えて、ステップ１２０４で符号化されたサムネールデータを上書きし、サムネールエントリを変更する。ステップ１２０６は管理ファイル更新であり、必要に応じて動画ファイルの管理情報を変更する。
【００３７】
図４は、図１２のステップ１２０２に対応するポスタータイム設定処理の概略構成を示す図である。尚、図４において、４０７〜４１７は、図１の１０７〜１１７にそれぞれ対応している。
【００３８】
システムコントローラ４１７は、選択したフレームをポスタータイムに設定するため、ドライブコントローラ４１６に要求を出し、ドライブサーボ回路４１５によって光ピックアップ４１２とモータ４１４を制御することによって、記録媒体４１３からＱｕｉｃｋＴｉｍｅムービを読み出す。こうして読み出されたデータはデータ変復調回路４０９によって記録信号から復調され、誤り訂正符号／復号化回路４０８で、記録媒体４１３の欠陥もしくは記録再生時の誤りが訂正される。ファイル復号回路４１８は、誤り訂正後のデータ列から、論理的ファイルフォーマットを復号する。参照データ復号回路４２１によってＱｕｉｃｋＴｉｍｅムービのデータ構造が解析され、ポスタータイム更新回路４２２により、新たな選択フレームに対応した時間情報がポスタータイムとして設定される。この際、必要に応じて図７で説明したように、ポスターグラフィックトラックを生成し、それをトラック指定しても構わない。
【００３９】
ファイル生成回路４０７は、ＱｕｉｃｋＴｉｍｅムービデータからなるファイルを生成する。４０８は誤り訂正符号化／復号化回路であり、デジタルデータの誤り訂正を行うためのパリティデータを付加する。４０９はデータ変復調回路であり、デジタルデータを記録媒体に記録するための、例えば（１，７）ＲＬＬ符号やトレリス符号などの変調符号化を行う。磁界変調ドライバ４１０は、入力信号に応じて磁界ヘッド４１１を駆動して記録媒体４１３に磁界を印加する。光ピックアップ４１２は、入力信号に応じて、記録用のレーザービームを記録媒体４１３に照射する。ドライブコントローラ４１６は、システムコントローラ４１７からの要求によりドライブサーボ回路４１５に信号を出力することにより、光ピックアップ４１２、モータ４１４を制御し、ドライブ全体を制御する。
【００４０】
図１３は、記録媒体に記録済み動画データのポスターフレームに基づいて、サムネールファイルを変更する場合の処理を示すフローチャートである。
【００４１】
このような状況は、他のメディアからＱｕｉｃｋＴｉｍｅムービ及びそれが参照する動画データを複写したような場合に発生する。ステップ１３０１はポスターフレームの判定処理を示し、ＱｕｉｃｋＴｉｍｅムービのポスタータイムの有無を判定する。ポスターフレームの指定が無いか、又は無効な場合、処理はステップ１３０２に分岐する。ステップ１３０２はポスタータイム設定であり、ＱｕｉｃｋＴｉｍｅムービ中に代表フレームを表すトラック及び時間情報を記録する。ポスタータイム時間はムービの先頭から所定の時間経過したフレームを自動設定してもよいし、代表フレーム選択のためのユーザによる入力操作を経て任意のフレームを設定してもよい。ステップ１３０３は、ポスターフレーム読み出しであり、設定されているポスタータイムに対応する動画フレームのデコードに必要なデータを記録媒体から読み出す。ここではＭＰＥＧ２のようなフレーム間符号化の場合、ＧＯＰと呼ばれる符号化単位で読み出すことが必要である。ステップ１３０４は、ポスターフレームデコードであり、読み出されたフレームデータをデコードし、ポスタータイムに対応するフレーム画像を得る。ステップ１３０５はサムネール画像生成で、デコードされたポスターフレーム画像に縮小等の処理を行ってサムネール画像を生成する。ステップ１３０６はサムネール画像エンコードで、サムネール画像をＪＰＥＧのような静止画符号化方法で圧縮してサムネールデータを得る。ステップ１３０７はサムネールデータの書き込みであり、専用のサムネールファイルに、ステップ１３０６で符号化したサムネールデータを追加書き込みし、サムネールエントリを追加する。ステップ１３０８は管理ファイル更新であり、記録した動画データとサムネールファイルに追加したエントリを関連付ける。
【００４２】
以上説明したように本実施の形態によれば、参照動画データ中の時間情報による代表フレームと、サムネールファイルに記録された対応するサムネール画像のフレームとを一致させることにより、参照動画データによるフレキシブルな編集はもちろんのこと、サムネール専用ファイルによる高速なサムネール一覧及び、参照動画データ中の時間情報によってファイルコピー時のサムネール指定継承を実現できる。
【００４３】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４４】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００４５】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００４６】
【発明の効果】
以上説明したように本発明によれば、参照動画データの編集に柔軟性を持たせ、サムネールファイルによる高速なサムネール一覧及び参照動画データのサムネール指定の継承を可能にできるという効果がある。
【図面の簡単な説明】
【図１】本発明の実施の形態に係るディスクビデオカメラ装置の構成を示すブロック図である。
【図２】本実施の形態に係るポスタータイム設定と、サムネールファイルへのデータ書き込み処理を説明するフローチャートである。
【図３】本実施の形態に係るディスクビデオカメラ装置のサムネール記録時の機能構成を説明する図である。
【図４】実施の形態に係るディスクビデオカメラ装置のポスタータイム更新における機能構成を示す図である。
【図５】ＱｕｉｃｋＴｉｍｅムービの概略構成を説明する図である。
【図６】ＱｕｉｃｋＴｉｍｅムービのポスタータイムの概略構成を示す図である。
【図７】ＱｕｉｃｋＴｉｍｅムービのポスターグラフィックトラックの概略構成を示す図である。
【図８】本実施の形態に係るサムネールファイルの概略構成を示す図である。
【図９】実施の形態に係るサムネールデータの関係を示す図である。
【図１０】実施の形態に係る管理データによる対応付けを説明する図である。
【図１１】ＱｕｉｃｋＴｉｍｅムービのムービヘッダａｔｏｍの概略構成を示す図である。
【図１２】実施の形態に係るサムネール変更処理を説明するフローチャートである。
【図１３】実施の形態に係るポスターフレームに基づくサムネール生成処理を示すフローチャートである。
【図１４】従来のディスクビデオカメラ装置を示す図である。
【図１】
2005033381.tif 000003
【図２】
2005033381.tif 000004
【図３】
2005033381.tif 000005
【図４】
2005033381.tif 000006
【図５】
2005033381.tif 000007
【図６】
2005033381.tif 000008
【図７】
2005033381.tif 000009
【図８】
2005033381.tif 000010
【図９】
2005033381.tif 000011
【図１０】
2005033381.tif 000012
【図１１】
2005033381.tif 000013
【図１２】
2005033381.tif 000014
【図１３】
2005033381.tif 000015
【図１４】
2005033381.tif 000016